(57)【特許請求の範囲】
【請求項１】
光メモリ媒体のコアとの間に所定の入射角度をもたせてデータ再生のための帯状の読み出し光を入射させる光メモリ再生装置であって、
前記読み出し光を光軸回りの回転方向へ部分的に変位させる読み出し光部分変位手段と、
前記読み出し光を光軸回りに回動させたときに当該読み出し光とコアとの結合効率に応じて変化する再生光の光強度を基に前記入射角度を求める入射角度演算手段と
を備え、
前記読み出し光部分変位手段は、前記読み出し光の光軸が前記コアの厚み方向の中心に入射している状態で、前記読み出し光の光軸よりも左右の側においてそれぞれ同量かつ逆方向の変位をさせ、前記入射角度演算手段は、当該読み出し光を回動させたときに、時計回り方向に変位した各部分により得られる光強度の和と、反時計回り方向に変位した各部分により得られる光強度の和とが等しくなる角度を求めることを特徴とする光メモリ再生装置。
【請求項２】
光メモリ媒体のコアとの間に所定の入射角度をもたせてデータ再生のための帯状の読み出し光を入射させる光メモリ再生装置であって、
前記読み出し光を光軸回りの回転方向へ部分的に変位させる読み出し光部分変位手段と、
前記読み出し光を光軸回りに回動させたときに当該読み出し光とコアとの結合効率に応じて変化する再生光の光強度を基に前記入射角度を求める入射角度演算手段と
を備え、
前記読み出し光部分変位手段は、前記読み出し光の光軸が前記コアの厚み方向の中心に入射している状態で、前記読み出し光の光軸よりも左または右の側において同量かつ逆方向の変位をさせ、前記入射角度演算手段は、変位した各部分により得られる光強度同士が等しくなる角度を求めることを特徴とする光メモリ再生装置。
【請求項３】
光メモリ媒体のコアとの間に所定の入射角度をもたせてデータ再生のための帯状の読み出し光を入射させる光メモリ再生方法であって、
前記読み出し光を光軸回りの回転方向へ部分的に変位させる読み出し光部分変位段階と、
前記読み出し光を光軸回りに回動させたときに当該読み出し光とコアとの結合効率に応じて変化する再生光の光強度を基に前記入射角度を求める入射角度演算段階と
を備え、
前記読み出し光部分変位段階では、前記読み出し光の光軸が前記コアの厚み方向の中心に入射している状態で、前記読み出し光の光軸よりも左右の側においてそれぞれ同量かつ逆方向の変位をさせ、前記入射角度演算段階では、当該読み出し光を回動させたときに、時計回り方向に変位した各部分により得られる光強度の和と、反時計回り方向に変位した各部分により得られる光強度の和とが等しくなる角度を求めることを特徴とする光メモリ再生方法。
【請求項４】
光メモリ媒体のコアとの間に所定の入射角度をもたせてデータ再生のための帯状の読み出し光を入射させる光メモリ再生方法であって、
前記読み出し光を光軸回りの回転方向へ部分的に変位させる読み出し光部分変位段階と、
前記読み出し光を光軸回りに回動させたときに当該読み出し光とコアとの結合効率に応じて変化する再生光の光強度を基に前記入射角度を求める入射角度演算段階と
を備え、
前記読み出し光部分変位段階では、前記読み出し光の光軸が前記コアの厚み方向の中心に入射している状態で、前記読み出し光の光軸よりも左または右の側において同量かつ逆方向の変位をさせ、前記入射角度演算段階では、変位した各部分により得られる光強度同士が等しくなる角度を求めることを特徴とする光メモリ再生方法。
【請求項５】
光メモリ媒体のコアとの間に所定の入射角度をもたせてデータ再生のための帯状かつ光軸回りの回転方向へ部分的に変位させられた読み出し光を入射させるときの光メモリ再生プログラムであって、
前記読み出し光を光軸回りに回動させたときに当該読み出し光とコアとの結合効率に応じて変化する再生光の光強度を基に前記入射角度を求める入射角度演算段階を備え、
前記読み出し光の光軸が前記コアの厚み方向の中心に入射している状態で、前記読み出し光が光軸よりも左右の側においてそれぞれ同量かつ逆方向の変位をさせられているときに、前記入射角度演算段階では、当該読み出し光を回動させたときに、時計回り方向に変位した各部分により得られる光強度の和と、反時計回り方向に変位した各部分により得られる光強度の和とが等しくなる角度を求めることを特徴とする光メモリ再生プログラム。
【請求項６】
光メモリ媒体のコアとの間に所定の入射角度をもたせてデータ再生のための帯状かつ光軸回りの回転方向へ部分的に変位させられた読み出し光を入射させるときの光メモリ再生プログラムであって、
前記読み出し光を光軸回りに回動させたときに当該読み出し光とコアとの結合効率に応じて変化する再生光の光強度を基に前記入射角度を求める入射角度演算段階を備え、
前記読み出し光の光軸が前記コアの厚み方向の中心に入射している状態で、前記読み出し光が光軸よりも左または右の側において同量かつ逆方向の変位をさせられているときに、前記入射角度演算段階では、変位した各部分により得られる光強度同士が等しくなる角度を求めることを特徴とする光メモリ再生プログラム。
【請求項７】
光メモリ媒体のコアとの間に所定の入射角度をもたせてデータ再生のための帯状かつ光軸回りの回転方向へ部分的に変位させられた読み出し光を入射させるときの光メモリ再生プログラムが記録された記録媒体であって、
前記読み出し光を光軸回りに回動させたときに当該読み出し光とコアとの結合効率に応じて変化する再生光の光強度を基に前記入射角度を求める入射角度演算段階を備え、
前記読み出し光の光軸が前記コアの厚み方向の中心に入射している状態で、前記読み出し光が光軸よりも左右の側においてそれぞれ同量かつ逆方向の変位をさせられているときに、前記入射角度演算段階では、当該読み出し光を回動させたときに、時計回り方向に変位した各部分により得られる光強度の和と、反時計回り方向に変位した各部分により得られる光強度の和とが等しくなる角度を求めることを特徴とする光メモリ再生プログラムが記録された記録媒体。
【請求項８】
光メモリ媒体のコアとの間に所定の入射角度をもたせてデータ再生のための帯状かつ光軸回りの回転方向へ部分的に変位させられた読み出し光を入射させるときの光メモリ再生プログラムが記録された記録媒体であって、
前記読み出し光を光軸回りに回動させたときに当該読み出し光とコアとの結合効率に応じて変化する再生光の光強度を基に前記入射角度を求める入射角度演算段階を備え、
前記読み出し光の光軸が前記コアの厚み方向の中心に入射している状態で、前記読み出し光が光軸よりも左または右の側において同量かつ逆方向の変位をさせられているときに、前記入射角度演算段階では、変位した各部分により得られる光強度同士が等しくなる角度を求めることを特徴とする光メモリ再生プログラムが記録された記録媒体。
【発明の詳細な説明】
【技術分野】
【０００１】
本発明は、平面光導波路型多重光メモリ等からデータを再生する光メモリ再生装置、光メモリ再生方法、光メモリ再生プログラム及びそのプログラムが記録された記録媒体に係り、特に読み出し光の入射角度を求める技術に関する。
【背景技術】
【０００２】
近年ではモバイルコンピューティングをはじめとして、コンパクトで持ち運び容易かつ大容量のメモリの需要が急増している。大容量記憶メモリを低コストで実現できる方法の１つとして、記録情報を平面光導波路に埋め込み、この導波路を積層した平面光導波路型多重光メモリが提案されている。
【０００３】
図１１に示すように、この方式では、平板状の光記憶媒体（光メモリ媒体ともいう）２Ｂはコア層とクラッド層からなる光導波路を交互積層することにより多層化した光導波路を形成し、情報は各々の光導波路に散乱因子として記録される。情報の再生は、光源移動機構１２Ｂに支持された光源１１より出射した帯状の読み出し光１００を、目的とするコア層に的確に入射結合させ、生じた再生光１０１をデータ再生部１３の撮像素子で撮像することにより行う。
【発明の開示】
【発明が解決しようとする課題】
【０００４】
このように、積層導波路を用いた光メモリ媒体は大容量化が可能であり、将来の記憶媒体として有望であるが、所望の情報をエラー無く再生するために、目的とするコア層に読み出し光を正確に入射させる必要がある。しかしながら、読み出し光は単なる帯状であるために、位置ずれの方向を検出することができず、このため、位置合わせのためにウォブリングなどを必要とする。その結果、高速かつ簡便な読み出し光位置合わせが行えず装置の実現が妨げられている。
【０００５】
そこで本発明は、上記の従来の課題に鑑みてなされたものであり、その目的とするところは、光メモリ媒体からデータを再生させる読み出し光を的確に入射させうる光メモリ再生装置、光メモリ再生方法、光メモリ再生プログラム及びそのプログラムが記録された記録媒体を提供することにある。
【課題を解決するための手段】
【０００６】
上記従来の課題を解決するために、請求項１の本発明は、光メモリ媒体のコアとの間に所定の入射角度をもたせてデータ再生のための帯状の読み出し光を入射させる光メモリ再生装置であって、前記読み出し光を光軸回りの回転方向へ部分的に変位させる読み出し光部分変位手段と、前記読み出し光を光軸回りに回動させたときに当該読み出し光とコアとの結合効率に応じて変化する再生光の光強度を基に前記入射角度を求める入射角度演算手段とを備え、前記読み出し光部分変位手段は、前記読み出し光の光軸が前記コアの厚み方向の中心に入射している状態で、前記読み出し光の光軸よりも左右の側においてそれぞれ同量かつ逆方向の変位をさせ、前記入射角度演算手段は、当該読み出し光を回動させたときに、時計回り方向に変位した各部分により得られる光強度の和と、反時計回り方向に変位した各部分により得られる光強度の和とが等しくなる角度を求めることを特徴とする光メモリ再生装置であることを要旨とする。
【０００７】
請求項１の本発明によれば、読み出し光部分変位手段が、読み出し光を光軸回りの回転方向へ部分的に変位させ、入射角度演算手段が、読み出し光を光軸回りに回動させたときに当該読み出し光とコアとの結合効率に応じて変化する再生光の光強度を基に入射角度を求めるので、光メモリ媒体に対する読み出し光の入射位置を的確に求めることができる。
【０００８】
また、読み出し光部分変位手段が、読み出し光の光軸よりも左右の側においてそれぞれ同量かつ逆方向の変位をさせ、入射角度演算手段が、当該読み出し光を回動させたときに、時計回り方向に変位した各部分により得られる光強度の和と、反時計回り方向に変位した各部分により得られる光強度の和とが等しくなる角度を求めるので、光メモリ媒体に対する読み出し光の入射角度を０度、すなわち時計回りにも反時計回りにも傾いていない状態に合わせることができる。
【０００９】
請求項２の本発明は、光メモリ媒体のコアとの間に所定の入射角度をもたせてデータ再生のための帯状の読み出し光を入射させる光メモリ再生装置であって、前記読み出し光を光軸回りの回転方向へ部分的に変位させる読み出し光部分変位手段と、前記読み出し光を光軸回りに回動させたときに当該読み出し光とコアとの結合効率に応じて変化する再生光の光強度を基に前記入射角度を求める入射角度演算手段とを備え、前記読み出し光部分変位手段は、前記読み出し光の光軸が前記コアの厚み方向の中心に入射している状態で、前記読み出し光の光軸よりも左または右の側において同量かつ逆方向の変位をさせ、前記入射角度演算手段は、変位した各部分により得られる光強度同士が等しくなる角度を求めることを特徴とする光メモリ再生装置であることを要旨とする。
【００１０】
請求項２の本発明によれば、読み出し光部分変位手段が、読み出し光を光軸回りの回転方向へ部分的に変位させ、入射角度演算手段が、読み出し光を光軸回りに回動させたときに当該読み出し光とコアとの結合効率に応じて変化する再生光の光強度を基に入射角度を求めるので、光メモリ媒体に対する読み出し光の入射位置を的確に求めることができる。
【００１１】
また、読み出し光部分変位手段が、読み出し光の光軸よりも左または右の側において同量かつ逆方向の変位をさせ、入射角度演算手段が、変位した各部分により得られる光強度同士が等しくなる角度を求めるので、光メモリ媒体に対して読み出し光を傾いていない状態にできる。
【００１２】
請求項３の本発明は、光メモリ媒体のコアとの間に所定の入射角度をもたせてデータ再生のための帯状の読み出し光を入射させる光メモリ再生方法であって、前記読み出し光を光軸回りの回転方向へ部分的に変位させる読み出し光部分変位段階と、前記読み出し光を光軸回りに回動させたときに当該読み出し光とコアとの結合効率に応じて変化する再生光の光強度を基に前記入射角度を求める入射角度演算段階とを備え、前記読み出し光部分変位段階では、前記読み出し光の光軸が前記コアの厚み方向の中心に入射している状態で、前記読み出し光の光軸よりも左右の側においてそれぞれ同量かつ逆方向の変位をさせ、前記入射角度演算段階では、当該読み出し光を回動させたときに、時計回り方向に変位した各部分により得られる光強度の和と、反時計回り方向に変位した各部分により得られる光強度の和とが等しくなる角度を求めることを特徴とする光メモリ再生方法であることを要旨とする。
【００１３】
請求項３の本発明によれば、読み出し光部分変位段階では、読み出し光を光軸回りの回転方向へ部分的に変位させ、入射角度演算段階では、読み出し光を光軸回りに回動させたときに当該読み出し光とコアとの結合効率に応じて変化する再生光の光強度を基に入射角度を求めるので、光メモリ媒体に対する読み出し光の入射位置を的確に求めることができる。
【００１４】
また、読み出し光部分変位段階では、読み出し光の光軸よりも左右の側においてそれぞれ同量かつ逆方向の変位をさせ、入射角度演算段階では、当該読み出し光を回動させたときに、時計回り方向に変位した各部分により得られる光強度の和と、反時計回り方向に変位した各部分により得られる光強度の和とが等しくなる角度を求めるので、光メモリ媒体に対して読み出し光を傾いていない状態にできる。
【００１５】
請求項４の本発明は、光メモリ媒体のコアとの間に所定の入射角度をもたせてデータ再生のための帯状の読み出し光を入射させる光メモリ再生方法であって、前記読み出し光を光軸回りの回転方向へ部分的に変位させる読み出し光部分変位段階と、前記読み出し光を光軸回りに回動させたときに当該読み出し光とコアとの結合効率に応じて変化する再生光の光強度を基に前記入射角度を求める入射角度演算段階とを備え、前記読み出し光部分変位段階では、前記読み出し光の光軸が前記コアの厚み方向の中心に入射している状態で、前記読み出し光の光軸よりも左または右の側において同量かつ逆方向の変位をさせ、前記入射角度演算段階では、変位した各部分により得られる光強度同士が等しくなる角度を求めることを特徴とする光メモリ再生方法であることを要旨とする。
【００１６】
請求項４の本発明によれば、読み出し光部分変位段階では、読み出し光を光軸回りの回転方向へ部分的に変位させ、入射角度演算段階では、読み出し光を光軸回りに回動させたときに当該読み出し光とコアとの結合効率に応じて変化する再生光の光強度を基に入射角度を求めるので、光メモリ媒体に対する読み出し光の入射位置を的確に求めることができる。
【００１７】
また、読み出し光部分変位段階では、読み出し光の光軸よりも左または右の側において同量かつ逆方向の変位をさせ、入射角度演算段階では、変位した各部分により得られる光強度同士が等しくなる角度を求めるので、光メモリ媒体に対して読み出し光を傾いていない状態にできる。
【００１８】
請求項５の本発明は、光メモリ媒体のコアとの間に所定の入射角度をもたせてデータ再生のための帯状かつ光軸回りの回転方向へ部分的に変位させられた読み出し光を入射させるときの光メモリ再生プログラムであって、前記読み出し光を光軸回りに回動させたときに当該読み出し光とコアとの結合効率に応じて変化する再生光の光強度を基に前記入射角度を求める入射角度演算段階を備え、前記読み出し光の光軸が前記コアの厚み方向の中心に入射している状態で、前記読み出し光が光軸よりも左右の側においてそれぞれ同量かつ逆方向の変位をさせられているときに、前記入射角度演算段階では、当該読み出し光を回動させたときに、時計回り方向に変位した各部分により得られる光強度の和と、反時計回り方向に変位した各部分により得られる光強度の和とが等しくなる角度を求めることを特徴とする光メモリ再生プログラムであることを要旨とする。
【００１９】
請求項５の本発明によれば、入射位置演算段階では、読み出し光を光軸回りに回動させたときに当該読み出し光とコアとの結合効率に応じて変化する再生光の光強度を基に入射角度を求めるので、光メモリ媒体に対する読み出し光の入射位置を的確に求めることができる光メモリ再生プログラムを提供できる。
【００２０】
また、読み出し光が光軸よりも左右の側においてそれぞれ同量かつ逆方向の変位をさせられているときに、入射角度演算段階では、当該読み出し光を回動させたときに、時計回り方向に変位した各部分により得られる光強度の和と、反時計回り方向に変位した各部分により得られる光強度の和とが等しくなる角度を求めるので、光メモリ媒体に対して読み出し光の入射角度を傾いていない状態にできる光メモリ再生プログラムを提供できる。
【００２１】
請求項６の本発明は、光メモリ媒体のコアとの間に所定の入射角度をもたせてデータ再生のための帯状かつ光軸回りの回転方向へ部分的に変位させられた読み出し光を入射させるときの光メモリ再生プログラムであって、前記読み出し光を光軸回りに回動させたときに当該読み出し光とコアとの結合効率に応じて変化する再生光の光強度を基に前記入射角度を求める入射角度演算段階を備え、前記読み出し光の光軸が前記コアの厚み方向の中心に入射している状態で、前記読み出し光が光軸よりも左または右の側において同量かつ逆方向の変位をさせられているときに、前記入射角度演算段階では、変位した各部分により得られる光強度同士が等しくなる角度を求めることを特徴とする光メモリ再生プログラムであることを要旨とする。
【００２２】
請求項６の本発明によれば、入射位置演算段階では、読み出し光を光軸回りに回動させたときに当該読み出し光とコアとの結合効率に応じて変化する再生光の光強度を基に入射角度を求めるので、光メモリ媒体に対する読み出し光の入射位置を的確に求めることができる光メモリ再生プログラムを提供できる。
【００２３】
また、読み出し光が光軸よりも左または右の側において同量かつ逆方向の変位をさせられているときに、入射角度演算段階では、変位した各部分により得られる光強度同士が等しくなる角度を求めるので、光メモリ媒体に対して読み出し光を傾いていない状態にできる光メモリ再生プログラムを提供できる。
【００２４】
請求項７の本発明は、光メモリ媒体のコアとの間に所定の入射角度をもたせてデータ再生のための帯状かつ光軸回りの回転方向へ部分的に変位させられた読み出し光を入射させるときの光メモリ再生プログラムが記録された記録媒体であって、前記読み出し光を光軸回りに回動させたときに当該読み出し光とコアとの結合効率に応じて変化する再生光の光強度を基に前記入射角度を求める入射角度演算段階を備え、前記読み出し光の光軸が前記コアの厚み方向の中心に入射している状態で、前記読み出し光が光軸よりも左右の側においてそれぞれ同量かつ逆方向の変位をさせられているときに、前記入射角度演算段階では、当該読み出し光を回動させたときに、時計回り方向に変位した各部分により得られる光強度の和と、反時計回り方向に変位した各部分により得られる光強度の和とが等しくなる角度を求めることを特徴とする光メモリ再生プログラムが記録された記録媒体であることを要旨とする。
【００２５】
請求項７の本発明によれば、入射位置演算段階では、読み出し光を光軸回りに回動させたときに当該読み出し光とコアとの結合効率に応じて変化する再生光の光強度を基に入射角度を求めるので、光メモリ媒体に対する読み出し光の入射位置を的確に求めることができる光メモリ再生プログラムを記録媒体によって流通できるようになる。
【００２６】
また、読み出し光が光軸よりも左右の側においてそれぞれ同量かつ逆方向の変位をさせられているときに、入射角度演算段階では、当該読み出し光を回動させたときに、時計回り方向に変位した各部分により得られる光強度の和と、反時計回り方向に変位した各部分により得られる光強度の和とが等しくなる角度を求めるので、光メモリ媒体に対して読み出し光を傾いていない状態にできる光メモリ再生プログラムを記録媒体によって流通できるようになる。
【００２７】
請求項８の本発明は、光メモリ媒体のコアとの間に所定の入射角度をもたせてデータ再生のための帯状かつ光軸回りの回転方向へ部分的に変位させられた読み出し光を入射させるときの光メモリ再生プログラムが記録された記録媒体であって、前記読み出し光を光軸回りに回動させたときに当該読み出し光とコアとの結合効率に応じて変化する再生光の光強度を基に前記入射角度を求める入射角度演算段階を備え、前記読み出し光が光軸よりも左または右の側において同量かつ逆方向の変位をさせられているときに、前記入射角度演算段階では、変位した各部分により得られる光強度同士が等しくなる角度を求めることを特徴とする光メモリ再生プログラムが記録された記録媒体であることを要旨とする。
【００２８】
請求項８の本発明は、光メモリ媒体のコアとの間に所定の入射角度をもたせてデータ再生のための帯状かつ光軸回りの回転方向へ部分的に変位させられた読み出し光を入射させるときの光メモリ再生プログラムが記録された記録媒体であって、前記読み出し光を光軸回りに回動させたときに当該読み出し光とコアとの結合効率に応じて変化する再生光の光強度を基に前記入射角度を求める入射角度演算段階を備え、前記読み出し光の光軸が前記コアの厚み方向の中心に入射している状態で、前記読み出し光が光軸よりも左または右の側において同量かつ逆方向の変位をさせられているときに、前記入射角度演算段階では、変位した各部分により得られる光強度同士が等しくなる角度を求めることを特徴とする光メモリ再生プログラムが記録された記録媒体であることを要旨とする。
【００２９】
また、読み出し光が光軸よりも左または右の側において同量かつ逆方向の変位をさせられているときに、入射角度演算段階では、変位した各部分により得られる光強度同士が等しくなる角度を求めるので、光メモリ媒体に対して読み出し光を傾いていない状態にできる光メモリ再生プログラムを記録媒体によって流通できるようになる。
【発明の効果】
【００３０】
本発明によれば、帯状の読み出し光を光軸回りの回転方向へ部分的に変位させ、読み出し光を光軸回りに回動させたときに当該読み出し光とコアとの結合効率に応じて変化する再生光の光強度を基に入射角度を求めるようにしたので、光メモリ媒体に対する読み出し光の入射位置を的確に求めることができる。
【００３１】
また、読み出し光の光軸よりも左右の側においてそれぞれ同量かつ逆方向の変位をさせ、当該読み出し光を回動させたときに、時計回り方向に変位した各部分により得られる光強度の和と、反時計回り方向に変位した各部分により得られる光強度の和とが等しくなる角度を求めるので、光メモリ媒体に対する読み出し光の入射角度を０度、すなわち時計回りにも反時計回りにも傾いていない状態に合わせることができる。
【００３２】
また、読み出し光の光軸よりも左または右の側において同量かつ逆方向の変位をさせ、変位した各部分により得られる光強度同士が等しくなる角度を求めるので、光メモリ媒体に対して読み出し光を傾いていない状態にできる。
【発明を実施するための最良の形態】
【００３３】
以下、本発明の実施の形態を図面を参照して説明する。
【００３４】
[本発明の実施の形態に関連する光記憶媒体再生装置]
図１は、本発明の実施の形態に関連する光記憶媒体再生装置１の構成と利用形態を示す図である。光記憶媒体再生装置１は、積層光導波路を用いた平板状の光記憶媒体２からデータを読み出す（再生させる）装置であり、帯状の読み出し光１００を光記憶媒体２に対し横方向から入射させる光源１１と、光源１１を支持するとともに、図示した光記憶媒体２の積層方向（すなわち、厚さ方向）と平行に光源１１を上下動しうるように構成された光源移動機構１２を備える。なお、読み出し光１００は完全なる帯状ではなく、その断面は厳密には楕円形状を有するが、マクロ的に見て、読み出し光１００は「帯状」であるとする。また、読み出し光１００は、光強度についていえば、中央部で最も高く、周囲にいくにしたがって低くなるという分布特性を有している。
【００３５】
光記憶媒体再生装置１は、読み出し光１００により得られる再生光１０１を撮像してユーザのデータを再生するデータ再生部１３（図１では撮像素子のみを示す）を備える。また、光記憶媒体再生装置１は、読み出し光１００の左端部を厚さ方向の上方向に変位させる読み出し光部分変位機構１４ａと、読み出し光１００の右端部を厚さ方向の下方向に変位させる読み出し光部分変位機構１４ｂを備える。読み出し光部分変位機構１４ａ，１４ｂは、平板あるいはプリズムなどにより構成される。以下、「上下関係」に言及するときは「厚さ方向」を前提とする。
【００３６】
さて、光記憶媒体２にあっては、ユーザにより書き込まれるデータ以外に、位置決め用のデータ（サーボマークという）が予め書き込まれている。具体的にサーボマークは、ユーザのデータが書き込まれている位置よりも光源寄りの位置に書き込まれている。
【００３７】
そして光記憶媒体再生装置１にあっては、読み出し光部分変位機構１４ａ，１４ｂがそれぞれ変位させた読み出し光の部分（以下、変位光１００ａ，１００ｂという）が、サーボマークの再生光としてサーボマーク光１５０ａ、１５０ｂを送出させるように設定されている。そして、光記憶媒体再生装置１は、このサーボマーク光１５０ａ、１５０ｂの再生像を得るとともに、この再生像の光強度に応じたレベルのサーボ信号１５００ａ，１５００ｂを光源移動機構１２に与えるサーボマーク光検出機構１５ａ，１５ｂを備えている。なお、説明の便宜上、変位せずに光記憶媒体２に入射される読み出し光１００の部分（中央部分）を「無変位光１００」という。
【００３８】
次に、光記憶媒体再生装置１の動作原理を説明する。ここでは光源移動機構１２は、光源１１を、例えば、上から下へと移動させることとする。
【００３９】
図２は、かかる移動中における読み出し光の入射位置を左側に、サーボマーク光検出機構１５ａ，１５ｂにより得られる再生像を右側に、それぞれ示す図である。
【００４０】
光記憶媒体２に入射する読み出し光１００にあっては、中心部より左側の変位光１００ａは上側に、中心部より右側の変位光１００ｂは下側に、それぞれ同量の変位をなしている。しかも、この変位量（変位量ｄとする）は、読み出し光の厚さ方向の強度分布幅（以下、単に「強度分布幅」という）とコア厚の和の１／２よりも小さくなっている。
【００４１】
図３は、変位量ｄの設定の理由を説明するための図である。
【００４２】
光記憶媒体再生装置１にあっては、無変位光１００の強度分布幅方向の中心とコアの厚み方向の中心とが一致しているときに、サーボマーク光１５０ａ、１５０ｂが得られなければならない。しかしながら、変位量ｄがコア厚の１／２あり、さらに、強度分布幅の１／２変位した場合は、サーボマーク光１５０ａ、１５０ｂが得られない。したがって、光記憶媒体再生装置１にあっては、読み出し光部分変位機構１４ａ、１４ｂは、変位量ｄ＜（強度分布幅／２＋コア幅／２）となるように設定される。
【００４３】
さて、図２（ａ）に示すように、読み出し光全体がコア層上部のクラッド層等に入射しているときは、読み出し光がコア層に結合（入射）しないため、サーボマーク光検出機構１５ａ，１５ｂの双方で再生像が得られない。読み出し光を下方に移動させると、図２（ｂ）に示すように、下側に変位した変位光１００ｂがコア層に結合し始める。このとき、サーボマーク光検出機構１５ｂでは、結合された変位光１００ｂに起因する再生像が得られる。さらに読み出し光を移動すると、図２（ｃ）に示すように、読み出し光の中心部がコア層の中央に入射する。このとき、左右の変位量が同量で、しかも、上記した変位量の設定がなされているので、左右それぞれの変位光とコアとの結合効率（割合）は等しくなり、このため、サーボマーク光検出機構１５ａ，１５ｂの双方で、等しい明るさの再生像が得られる。さらに、読み出し光を移動させていくと、図２（ｄ）に示すように、変位光１００ａのみがコアに結合し、サーボマーク光検出機構１５ａだけに再生像が得られる。そして、図２（ｅ）に示すように、読み出し光全体がコア層下部まで移動すると、サーボマーク光検出機構１５ａ，１５ｂの双方で再生像が得られなくなる。したがって、光記憶媒体２からのデータ読み出しに最適な位置は、図２（ｃ）の位置であるので、サーボマーク光検出機構１５ａ，１５ｂの双方で等しい明るさの再生像が得られる位置を求めれば良いことになる。
【００４４】
図４は、読み出し光が上下動する間にサーボマーク光検出機構１５ａ，１５ｂがそれぞれ出力するサーボ信号１５００ａ，１５００ｂのレベルと、前者から後者を差し引いた差分信号のレベルを示す図である。サーボマーク光検出機構１５ａ，１５ｂは、該機構で得られる再生像の光強度（明るさ）に応じたレベルのサーボ信号１５００ａ、１５００ｂを出力する。光源移動機構１２が読み出し光を上方から下方へ移動させると、まずサーボ信号１５００ａが出力され、ある場所で最大値となり、その後減少する。さらに読み出し光を下方へ移動させると、今度はサーボ信号１５００ｂが出力され、ある場所で最大値となり、その後減少する。
【００４５】
既述のように、サーボマーク光検出機構１５ａ，１５ｂの双方で等しい明るさの再生像が得られる位置に位置制御すればよいので、サーボ信号１５００ａとサーボ信号１５００ｂのレベルが等しくなるようにフィードバック制御すればよい。実際には、光記憶媒体再生装置１は、これらの差分信号が０を示すように読み出し光を位置制御している。
【００４６】
図５は、光記憶媒体再生装置１が位置決めを行うときの光源移動機構１２の処理手順を示す図である。
【００４７】
光源移動機構１２は、例えば、電源投入時などに位置決めの指令を受けると、先ず、読み出し光１００を目的のコア層に入射すべく光源１１を位置決めする（ステップＳ１）。このとき、サーボ信号１５００ａ、１５００ｂによるフィードバック制御は行わず、光源１１を待機時の位置から予め設定された距離だけ移動させる。なぜならば、光記憶媒体２の積層間隔はほぼ一定であり、かつ既知であるから、目的のコア層が待機時の位置からどの程度移動させればよいかを予め算出することができるからである。
【００４８】
続いて、光源移動機構１２は、サーボ信号１５００ｂのレベルからサーボ信号１５００ａのレベルを差し引いた差分レベルを求める（ステップＳ２）。ここで、差分レベル＜０ならば光源１１とともに読み出し光１００を上方に移動させる（ステップＳ３）。一方、差分レベル＞０ならば光源１１とともに読み出し光１００を下方に移動させる（ステップＳ４）。差分レベル＝０ならば、データ再生部１３に対しデータ再生を開始するための命令を行う（ステップＳ５）。
【００４９】
図６は、読み出し光１００における他の変位の態様を示す図である。  
図６（ａ）に示すように、変位光１００ａ、１００ｂが無変位光１００に挟まれた中央に位置するにしてもよい。また、図６（ｂ）、（ｃ）に示すように、変位光１００ａ、１００ｂが無変位光１００に連続して得られるようにしてもよい。いずれの場合でも、同様の作用効果が得られるのは明らかである。
【００５０】
また、読み出し光部分変位機構１４ａ，１４ｂは光源１１に内蔵してもよい。また、サーボマーク光検出機構１５ａ，１５ｂは、読み出し光１００が再生させるサーボマーク光を検出できる位置に設ければよいので、光源１１から見て、ユーザのデータが書き込まれている位置よりも遠いところであってもよい。また、サーボマーク光検出機構１５ａ，１５ｂをデータ再生部１３で兼用してもよい。また、前述した位置決めは電源投入時等のデータ再生前に限らず、例えば、データ再生を一旦中断して行ってもよい。
【００５１】
したがって、本発明の実施の形態に光記憶媒体再生装置１によれば、読み出し光部分変位手段（読み出し光部分変位機構）が、読み出し光を厚さ方向へ部分的に変位させ、入射位置演算手段（光源移動機構１２）が、読み出し光を厚さ方向に平行移動させたときに当該読み出し光と光メモリ媒体のコアとの結合効率に応じて変化する再生光の光強度を基に入射位置を求めるので、光メモリ媒体に対する読み出し光の入射位置を的確に求めることができる。
【００５２】
また、読み出し光部分変位手段が、読み出し光を逆方向に同量変位させ、入射位置演算手段が、当該読み出し光を移動させたときに、当該各変位した部分により得られる光強度同士が等しくなる位置を求めるので、変位していない部分をコアの中央に合わせることができる。
【００５３】
また、変位の量を、読み出し光の厚さ方向の強度分布幅とコアの厚さの和の１／２よりも小さくするので、変位していない部分がコアの中央に位置したときに、変位した部分による再生光が必ず得られ、したがって、この再生光により入射位置を求めることができる。
【００５４】
また、読み出し光部分変位手段は、読み出し光を非連続的に変位させるので、読み出し光と光メモリ媒体との間にプリズム等を配置させる等の簡単な構成で読み出し光部分変位手段を実現することができる。
【００５５】
[本発明の実施の形態]
図７は、本発明の実施の形態に係る光記憶媒体再生装置１Ａの構成と利用形態を示す図である。なお、図１に示す光記憶媒体再生装置１と同様の機能を有する構成要素には同一符号を与えて詳細説明は適宜省略する。
【００５６】
光記憶媒体再生装置１Ａは、帯状の読み出し光１００を光記憶媒体２Ａに対し入射させる光源１１と、光源１１を、読み出し光１００の光軸を回転軸にして時計回りまたは反時計回りに回動しうるように構成された光源回動機構１２Ａと、読み出し光１００により得られる再生光１０１を撮像してユーザのデータを再生するデータ再生部１３を備える。
【００５７】
また、光記憶媒体再生装置１Ａは、読み出し光１００の左端部を光軸１００Ａを中心とした反時計回り方向（下方向）に変位させる読み出し光部分変位機構１４ｃと、当該左端部に隣接する部分を同時計回り方向（上方向）に変位させる読み出し光部分変位機構１４ｄと、読み出し光１００の右端部に隣接する部分を同時計回り方向（下方向）に変位させる読み出し光部分変位機構１４ｅと、当該右端部を同反時計回り方向（上方向）に変位させる読み出し光部分変位機構１４ｆを備える。
【００５８】
さて、光記憶媒体２Ａにあっては、サーボマークは、ユーザのデータが書き込まれている位置よりも光源寄りの位置に書き込まれている。
【００５９】
そして光記憶媒体再生装置１Ａにあっては、読み出し光部分変位機構１４ｃ，１４ｄ，１４ｅ，１４ｆがそれぞれ変位させた読み出し光の部分（以下、変位光１００ｃ，１００ｄ，１００ｅ，１００ｆという）が、サーボマークの再生光としてサーボマーク光１５０ｃ、１５０ｄ，１５０ｅ，１５０ｆを送出させるように設定されている。そして、光記憶媒体再生装置１Ａは、このサーボマーク光１５０ｃ、１５０ｄ，１５０ｅ，１５０ｆの再生像を得るとともに、この再生像の光強度に応じたレベルのサーボ信号１５００ｃ，１５００ｄ，１５００ｅ，１５００ｆを光源回動機構１２Ａに与えるサーボマーク光検出機構１５ｃ，１５ｄ，１５ｅ，１５ｆを備えている。この実施の形態でも、変位せずに光記憶媒体２に入射される読み出し光１００の部分（中央部分）を「無変位光１００」という。
【００６０】
次に、光記憶媒体再生装置１Ａの動作原理を説明する。ここでは光源回動機構１２Ａは、光源１１を、例えば、時計回りに回動させることとする。
【００６１】
図８は、かかる回動中における読み出し光の入射角度を左側に、サーボマーク光検出機構１５ｃ，１５ｄ，１５ｅ，１５ｆにより得られる再生像を右側に、それぞれ示す図である。
【００６２】
光記憶媒体２Ａに入射する読み出し光１００にあっては、中心部より左側における一対の変位光において、変位光１００ｃは下側に、変位光１００ｄは上側にそれぞれ同量の変位をなしている。また、中心部より右側における一対の変位光において、変位光１００ｅは下側に、変位光１００ｆは上側に、それぞれ同量でかつ左側の変位量とも同量の変位をなしている。しかも、この変位量（変位量ｄとする）は、読み出し光の厚さ方向の強度分布幅（以下、単に「強度分布幅」という）とコア厚の和の１／２よりも小さくなっている。なお、このように変位量ｄを設定したのは、図３で既説した理由と同様に、無変位光１００の強度分布幅方向の中心とコアの厚み方向の中心とが一致しているときに、サーボマーク光１５０ｃ、１５０ｄ，１５０ｅ，１５０ｆを得るためである。
【００６３】
そして、読み出し光１００にあっては、光軸１００Ａはコアの厚み方向の中心に入射している。
【００６４】
さて、図８（ａ）に示すように、読み出し光全体が、光軸１００Ａを中心に時計回りに回動した状態（右下がり）であるときは、読み出し光１００ｃ及び１００ｆとコアとの結合効率が高く、サーボマーク光検出機構１５ｃ，１５ｆの双方で明るい再生像が得られる。これに対し、読み出し光１００ｄ及び１００ｅとコアとの結合効率は低く、サーボマーク光検出機構１５ｄ，１５ｅの双方で暗い再生像が得られる。そして、読み出し光全体を、光軸１００Ａを中心に反時計回りに回動させると、図８（ｂ）に示すように、読み出し光とコアが平行になり、このときは、読み出し光１００ｃ，１００ｄ，１００ｅ，１００ｆとコアとの結合効率がそれぞれ等しくなり、サーボマーク光検出機構１５ｃ，１５ｄ，１５ｅ，１５ｆの全てで等しい明るさの再生像が得られる。そして、さらに、読み出し光全体を、光軸１００Ａを中心に反時計回りに回動させると、図８（ｃ）に示すように、左下がりになることにより、読み出し光１００ｄ及び１００ｅとコアとの結合効率が高くなり、サーボマーク光検出機構１５ｄ，１５ｅの双方で明るい再生像が得られる。これに対し、読み出し光１００ｃ及び１００ｆとコアとの結合効率は低く、サーボマーク光検出機構１５ｃ，１５ｆの双方で暗い再生像が得られる。
【００６５】
したがって、光軸１００Ａがコアの厚み方向の中心に入射しているときは、サーボマーク光検出機構１５ｃ及び１５ｆでの再生像の明るさ（強度）が等しく、かつサーボマーク光検出機構１５ｄ及び１５ｅでの再生像の明るさ（強度）も等しくなり、そして、光記憶媒体２Ａからのデータ読み出しに最適な状態は、図８（ｂ）の状態であるので、サーボマーク光検出機構１５ｃ及び１５ｆでの再生像の光強度の合計と、サーボマーク光検出機構１５ｄ及び１５ｅでの再生像の光強度の合計とが等しくなる角度を求めれば良いことになる。
【００６６】
図９は、読み出し光が回動する間にサーボマーク光検出機構１５ｄ及び１５ｅが出力するサーボ信号１５００ｄ及び１５００ｅの和レベルと、サーボマーク光検出機構１５ｃ及び１５ｆが出力するサーボ信号１５００ｃ及び１５００ｆの和レベルと、前者から後者を差し引いた差分信号のレベルを示す図である。サーボマーク光検出機構１５ｃ，１５ｄ，１５ｅ，１５ｆは、これら各機構で得られる再生像の光強度（明るさ）に応じたレベルのサーボ信号１５００ｃ、１５００ｄ，１５００ｅ，１５００ｆを出力する。
【００６７】
光源回動機構１２Ａは、角度決めの指令を受けると、光源１１の入射角度を決める。このとき、サーボ信号１５００ｃ、１５００ｄ，１５００ｅ，１５００ｆによるフィードバック制御は行わず、光源１１の入射角度を予め設定された角度に設定する。例えば、読み出し光１００が時計回りに回動した状態とする。このとき、図９（ａ）に示すように、サーボ信号１５００ｄ及び１５００ｅの和レベルが、サーボ信号１５００ｃ及び１５００ｆの和レベルを超えているので、差分レベルは０より大きくなっている。このときは、光源回動機構１２Ａは、読み出し光全体を、光軸１００Ａを中心に反時計回りに回動させる。すると、図９（ｂ）に示すように、サーボ信号１５００ｄ及び１５００ｅの和レベルが、サーボ信号１５００ｃ及び１５００ｆの和レベルと等しくなり、差分レベルは０となる。
【００６８】
そして、光源回動機構１２Ａが、読み出し光全体をさらに反時計回りに回動させると、図９（ｃ）に示すように、サーボ信号１５００ｄ及び１５００ｅの和レベルが、サーボ信号１５００ｃ及び１５００ｆの和レベルよりも小さくなり、差分レベルは０よりも小さくなる。このときは、光源回動機構１２Ａは、読み出し光全体を、光軸１００Ａを中心に時計回りに回動させる。したがって、かかる動作を繰り返せば入射角度は目標角度へと収束していくことになる。
【００６９】
したがって、本発明の実施の形態によれば、読み出し光部分変位手段（読み出し光部分変位機構）が、読み出し光を光軸回りの回転方向へ部分的に変位させ、入射角度演算手段（光源回動機構）が、読み出し光を光軸回りに回動させたときに当該読み出し光とコアとの結合効率に応じて変化する再生光の光強度を基に入射角度を求めるので、光メモリ媒体に対する読み出し光の入射角度を的確に求めることができる。
【００７０】
また、読み出し光部分変位手段が、読み出し光の光軸よりも左右の側においてそれぞれ同量かつ逆方向の変位をさせ、入射角度演算手段が、当該読み出し光を回動させたときに、時計回り方向に変位した各部分により得られる光強度の和と、反時計回り方向に変位した各部分により得られる光強度の和とが等しくなる角度を求めるので、光メモリ媒体に対する読み出し光の入射角度を０度、すなわち時計回りにも反時計回りにも傾いていない状態に合わせることができる。
【００７１】
なお、読み出し光部分変位手段が、読み出し光の光軸よりも左または右の側において同量かつ逆方向の変位をさせ、入射角度演算手段が、変位した各部分により得られる光強度同士が等しくなる角度を求めるようにしても勿論よい。具体的、読み出し光部分変位機構１４ｃ及び１４ｄだけにより読み出し光１００を変位させ、光源回動機構１２Ａでは、サーボ信号１５００ｃと１５００ｄのレベル同士が等しくなるように位置決めすればよい。
【００７２】
なお、図１の説明で述べたように、読み出し光１００の光強度は中央部で最も高く、周囲にいくにしたがって低くなるという分布特性を有しているため、図８（ｂ）に示した状態において、、サーボマーク光検出機構１５ｄ，１５ｅが検出した像の明るさよりも、サーボマーク光検出機構１５ｃ，１５ｆが検出した像の明るさの方が暗くなる傾向にある。この場合には、変位光１００ｃ，１００ｄ，１００ｅ，１００ｆの強度比は既知であるから、この強度比にしたがった補正を加えることにより、目的の動作を行うことが可能である。具体的には、変位光１００ｃ、１００ｆの光強度が変位光１００ｄ、１００ｅの光強度の８０％であれば、光源回動機構１２Ａでは、差分信号を求める前に、サーボ信号１５００ｃ、１５００ｆのレベルを０．８で除する補正を加えればよい。これにより、入射角度をより正確に求めることができる。
【００７３】
図１０は、読み出し光１００における他の変位の態様を示す図である。図１０に示すように、読み出し光１００の両端部を上側に、それに接する部分を下側に変位させてもよい。つまり、読み出し光１００を時計回りに変位させて変位光１００ｄ及び１００ｅを作り、逆に、反時計回りに変位させて変位光１００ｃ及び１００ｆを作るのである。なお、この場合であっても、先に述べたように、変位光１００ｃ，…，１００ｆの強度比は既知であるので、サーボ信号に対し、この強度比に応じた補正を行うことにより、同様の効果が得られることは明らかである。
【００７４】
なお、上記説明した処理を実行するためのプログラムは、半導体メモリ、磁気ディスク、光ディスク、光磁気ディスク、磁気テープなどのコンピュータ読み取り可能な記録媒体に記録したり、インターネットなどの通信網を介して伝送させて、広く流通させることができる。
【図面の簡単な説明】
【００７５】
【図１】本発明の実施の形態に関連する光記憶媒体再生装置１の構成と利用形態を示す図である。
【図２】読み出し光の入射位置を左側に、サーボマーク光検出機構１５ａ，１５ｂにより得られる再生像を右側に、それぞれ示す図である。
【図３】変位量ｄの設定の理由を説明するための図である。
【図４】読み出し光が上下動する間にサーボマーク光検出機構１５ａ，１５ｂがそれぞれ出力するサーボ信号１５００ａ，１５００ｂのレベルと、これらの差分信号のレベルを示す図である。
【図５】光源移動機構１２の処理手順を示す図である。
【図６】読み出し光１００における他の変位の態様を示す図である。
【図７】本発明の実施の形態に係る光記憶媒体再生装置１Ａの構成と利用形態を示す図である。
【図８】読み出し光の入射角度を左側に、サーボマーク光検出機構１５ｃ，１５ｄ，１５ｅ，１５ｆにより得られる再生像を右側に、それぞれ示す図である。
【図９】読み出し光が回動する間にサーボマーク光検出機構１５ｄ及び１５ｅが出力するサーボ信号１５００ｄ及び１５００ｅの和レベルと、サーボマーク光検出機構１５ｃ及び１５ｆが出力するサーボ信号１５００ｃ及び１５００ｆの和レベルと、これら差分信号のレベルを示す図である。
【図１０】読み出し光１００における他の変位の態様を示す図である。
【図１１】従来における光メモリ媒体への読み出し光の位置合わせ方法を示す図である。
【符号の説明】
【００７６】
１，１Ａ  光記憶媒体再生装置
２，２Ａ，２Ｂ  光記憶媒体
１１  光源
１２  光源移動機構
１２Ａ  光源回動機構
１３  データ再生部
１４ａ，１４ｂ，１４ｃ，１４ｄ，１４ｅ，１４ｆ  読み出し光部分変位機構
１５ａ，１５ｂ，１５ｃ，１５ｄ，１５ｅ，１５ｆ  サーボマーク光検出機構
１００  読み出し光（無変位光）
１００ａ，１００ｂ，１００ｃ，１００ｄ，１００ｅ，１００ｆ  変位光
１０１  再生光
１５０ａ，１５０ｂ，１５０ｃ，１５０ｄ，１５０ｅ，１５０ｆ  サーボマーク光
１５００ａ，１５００ｂ，１５００ｃ，１５００ｃ，１５００ｅ，１５００ｆ  サーボ信号
【図１】
0004430639.tif 000002
【図２】
0004430639.tif 000003
【図３】
0004430639.tif 000004
【図４】
0004430639.tif 000005
【図５】
0004430639.tif 000006
【図６】
0004430639.tif 000007
【図７】
0004430639.tif 000008
【図８】
0004430639.tif 000009
【図９】
0004430639.tif 000010
【図１０】
0004430639.tif 000011
【図１１】
0004430639.tif 000012